(57)【要約】【課題】騒音に対する十分な遮音性能を有しつつ、骨伝導スピーカを接触させて使用する際に、低音域から高音域にかけて良好な聴取性能を発揮し得る耳栓を提供する。【解決手段】外耳道に挿着される発泡ポリウレタン製の耳栓体２２と、耳栓体２２に同心状に挿入されて保持された硬質ゴム製の振動体２３とを有する。振動体２３は耳栓体２２よりも硬質の部材である。振動体２３の突端部２３ｂに、骨伝導スピーカを接触させて使用する。【選択図】図１
2009253488.tif 000002
【特許請求の範囲】
【請求項１】
次の特徴を有する耳栓。
特徴１：外耳道に挿着される耳栓体と、当該耳栓体に同心状に挿入されて保持された振動体と、を有する。
特徴２：振動体の一方の端部は、当該耳栓体の内部に埋没している。振動体の他方の端部は、当該耳栓体の反挿入側端面から突出している。
特徴３：振動体は耳栓体よりも硬質の部材である。
【請求項２】
次の特徴を有する耳栓。
特徴１：外耳道に挿着される耳栓体と、当該耳栓体に同心状に挿入されて保持された振動体と、を有する。
特徴２：振動体の一方の端部は、当該耳栓体の内部に埋没している。振動体の他方の端部は、当該耳栓体の反挿入側端面から突出している。
特徴３：振動体は耳栓体よりも硬質の部材である。
特徴４：耳栓体は、その反挿入側端面から挿入側端面の近傍に延びる穴を有している。振動体は、耳栓体の穴に挿入されている。
【請求項３】
次の特徴を有する耳栓。
特徴１：外耳道に挿着される耳栓体と、当該耳栓体に同心状に挿入されて保持された振動体と、を有する。
特徴２：振動体の一方の端部は、当該耳栓体の内部に埋没している。振動体の他方の端部は、当該耳栓体の反挿入側端面から突出している。
特徴３：振動体は耳栓体よりも硬質の部材である。
特徴５：耳栓体には、その両端面間を貫く貫通孔が形成されている。振動体は、貫通孔に挿入されている。
【請求項４】
次の特徴を更に有する請求項１〜３のいずれかの耳栓。
特徴６：振動体は、金属、プラスチック、硬質ゴム、又は木材からなる。
【請求項５】
次の特徴を更に有する請求項１〜４のいずれかの耳栓。
特徴７：耳栓体は、発泡材からなる。その発泡材は、形状復元性と柔軟性とを併せ持っている。
【請求項６】
次の特徴を更に有する請求項１〜５のいずれかの耳栓。
特徴８：振動体は、耳栓体内に一方の端部が挿入された棒状部を有し、当該棒状部の他方の端部が耳栓体の反挿入側端面から突出している。
【請求項７】
次の特徴を更に有する請求項６の耳栓。
特徴９：棒状部の他方の端部の先端部分は拡径している。
【請求項８】
次の特徴を更に有する請求項６の耳栓。
特徴１０：棒状部の他方の端部の先端部分は、半球状または球状に形成されている。
【請求項９】
次の特徴を更に有する請求項１〜７のいずれかの耳栓。
特徴１１：耳栓体の形状は、円柱形である。
【請求項１０】
次の特徴を更に有する請求項１〜７のいずれかの耳栓。
特徴１２：耳栓体の形状は、挿入側端部が細くなった略円柱形である。
【請求項１１】
次の特徴を更に有する請求項１〜７のいずれかの耳栓。
特徴１３：耳栓体は、外耳道の内壁に密着してこれを閉塞するフランジ部と、当該フランジ部の中心部から外耳道の外側に延在するハンドル部と、を有する。振動体は、耳栓のハンドル部に同心状に挿入されている。
【請求項１２】
次の特徴を更に有する請求項１１の耳栓。
特徴１４：前記フランジ部の形状は、傘状、円環状、又は螺旋状である。
【請求項１３】
次の特徴を有する音響装置。
特徴１５：使用者の頭部又は耳部に着脱自在に装着される装着体を有している。
特徴１６：使用者の一方の外耳道に装着される第１耳栓と、当該使用者の他方の外耳道に装着される第２耳栓と、を有する。
特徴１７：第１耳栓と第２耳栓は、請求項１〜１２のいずれかの耳栓である。
特徴１８：装着体は、使用者の一方の外耳道に装着されている第１耳栓の振動体に接触する第１接触部と、当該使用者の他方の外耳道に装着されている第２耳栓の振動体に接触する第２接触部と、を有する。
特徴１９：装着体は、第１接触部を振動させる第1骨伝導スピーカと、第２接触部を振動させる第２骨伝導スピーカと、を備えている。
【請求項１４】
次の特徴を更に有する請求項１３の音響装置。
特徴２０：第１接触部及び第２接触部の前記振動体との接触面は突面であり、当該接触面の突端が前記振動体と接触する。
【請求項１５】
次の特徴を更に有する請求項１４の音響装置。
特徴２１：前記接触面は、部分球面である。
【請求項１６】
次の特徴を更に有する請求項１３の音響装置。
特徴２２：第１接触部及び第２接触部の前記振動体との接触面は平面又は凹面であり、当該接触面の一部に前記振動体が接触する。
【請求項１７】
次の特徴を更に有する請求項１６の音響装置。
特徴２３：第１接触部及び第２接触部に、前記振動体と嵌合する凹部が形成されている。
【請求項１８】
次の特徴を更に有する請求項１３〜１７のいずれかの音響装置。
特徴２４：装着体は、第1接触部と第1骨伝導スピーカとを有する第１耳掛体と、第２接触部と第２骨伝導スピーカとを有する第２耳掛体と、を有する。第１耳掛体は使用者の一方の耳に掛けて装着される。第２耳掛体は使用者の他方の耳に掛けて装着される。
特徴２５：第１耳掛体は、使用者の一方の耳介の根本部分に掛かる第１耳掛部と、第１耳掛部の前端部から使用者の一方の耳穴に延びる第１アーム部とを有する。第２耳掛体は、使用者の他方の耳介の根本部分に掛かる第２耳掛部と、第２耳掛部の前端部から使用者の他方の耳穴に延びる第２アーム部と、を有している。
特徴２６：第1接触部は第１アーム部の先端部に設けられている。第２接触部は第２アーム部の先端部に設けられている。
特徴２７：第１アーム部は、その第1接触部が使用者の一方の外耳道に装着されている第１耳栓の振動体に接触している第１の使用形態と、その第1接触部が使用者の一方の耳近傍の皮膚に接触している第２の使用形態のうちのどちらかの使用形態になるようにその姿勢又は形状を変化させることが可能である。第２アーム部は、その第２接触部が使用者の他方の外耳道に装着されている第２耳栓の振動体に接触している第１の使用形態と、その第２接触部が使用者の他方の耳近傍の皮膚に接触している第２の使用形態のうちのどちらかの使用形態になるように姿勢又は形状を変化させることが可能である。
【請求項１９】
次の特徴を更に有する請求項１３〜１７のいずれかの音響装置。
特徴２８：装着体は、装着時に使用者の後頭部を跨ぐ円弧状又は略馬蹄形状のヘッドバンド部と、当該ヘッドバンド部の一端から使用者の一方の耳介の根本を跨ぐようにしてアーチ状に延びる第１耳掛部と、当該ヘッドバンド部の他端から使用者の他方の耳介の根本を跨ぐようにしてアーチ状に延びる第２耳掛部と、第１耳掛部から使用者の一方の耳穴に延びる第１アーム部と、第２耳掛部から使用者の他方の耳穴に延びる第２アーム部と、を有している。
特徴２６：第1接触部は第１アーム部の先端部に設けられている。第２接触部は第２アーム部の先端部に設けられている。
特徴２７：第１アーム部は、その第1接触部が使用者の一方の外耳道に装着されている第１耳栓の振動体に接触している第１の使用形態と、その第1接触部が使用者の一方の耳近傍の皮膚に接触している第２の使用形態のうちのどちらかの使用形態になるようにその姿勢又は形状を変化させることが可能である。第２アーム部は、その第２接触部が使用者の他方の外耳道に装着されている第２耳栓の振動体に接触している第１の使用形態と、その第２接触部が使用者の他方の耳近傍の皮膚に接触している第２の使用形態のうちのどちらかの使用形態になるように姿勢又は形状を変化させることが可能である。
【請求項２０】
次の特徴を更に有する請求項１８又は１９の音響装置。
特徴２９：第１アーム部は、第１の使用形態と第２の使用形態のどちらの使用形態とも異なる第３の使用形態に姿勢を保つことが可能である。第２アーム部は、第１の使用形態と第２の使用形態のどちらの使用形態とも異なる第３の使用形態に姿勢を保つことが可能である。
【請求項２１】
次の特徴を更に有する請求項１８〜２０のいずれかの音響装置。
特徴３０：第１アーム部は、第１耳掛部に回動可能に連結されている。第２アーム部は、第２耳掛部に回動可能に連結されている。
【請求項２２】
次の特徴を更に有する請求項１８〜２０のいずれかの音響装置。
特徴３１：第１アーム部の外殻は、自由に変形させることができ且つ変更後の姿勢に自律保持可能な部材からなる。第２アーム部の外殻は、自由に変形させることができ且つ変更後の姿勢に自律保持可能な部材からなる。
【請求項２３】
次の特徴を更に有する請求項１８〜２２のいずれかの音響装置。
特徴３２：前記装着体は、その内部が外部から隔絶された水密構造になっている。
【請求項２４】
次の特徴を有するイヤホン。
特徴１５：使用者の頭部に着脱自在に装着される装着体を有している。
特徴３３：装着体は、使用者の一方の外耳道に装着されている第１耳栓の反挿入側端面に接触する第１接触部と、当該使用者の他方の外耳道に装着されている第２耳栓の反挿入側端面に接触する第２接触部と、を有する。
特徴１９：装着体は、第１接触部を振動させる第1骨伝導スピーカと、第２接触部を振動させる第２骨伝導スピーカと、を備えている。
特徴３４：装着体は、装着時に使用者の頭部を跨ぐ円弧状又は略馬蹄形状の弾性体部を有する。装着体の装着時には、弾性体部の弾性力により、第１接触部と第２接触部とが互いに接近する向きに付勢される。
特徴３５：第１接触部及び第２接触部は、使用者の外耳道に挿入されている耳栓の反挿入側端面に接触する突起部を有する。
【請求項２５】
次の特徴を有するイヤホン。
特徴１５：使用者の頭部又は耳部に着脱自在に装着される装着体を有している。
特徴３３：装着体は、使用者の一方の外耳道に装着されている第１耳栓の反挿入側端面に接触する第１接触部と、当該使用者の他方の外耳道に装着されている第２耳栓の反挿入側端面に接触する第２接触部と、を有する。
特徴１９：装着体は、第１接触部を振動させる第1骨伝導スピーカと、第２接触部を振動させる第２骨伝導スピーカと、を備えている。
特徴２８：装着体は、装着時に使用者の後頭部を跨ぐ円弧状又は略馬蹄形状のヘッドバンド部と、当該ヘッドバンド部の一端から使用者の一方の耳介の根本を跨ぐようにしてアーチ状に延びる第１耳掛部と、当該ヘッドバンド部の他端から使用者の他方の耳介の根本を跨ぐようにしてアーチ状に延びる第２耳掛部と、第１耳掛部から使用者の一方の耳穴に延びる第１アーム部と、第２耳掛部から使用者の他方の耳穴に延びる第２アーム部と、を有している。
特徴２６：第1接触部は第１アーム部の先端部に設けられている。第２接触部は第２アーム部の先端部に設けられている。
特徴３５：第１接触部及び第２接触部は、使用者の外耳道に挿入されている耳栓の反挿入側端面に接触する突起部を有する。
【請求項２６】
次の特徴を有するイヤホン。
特徴１５：使用者の頭部又は耳部に着脱自在に装着される装着体を有している。
特徴３３：装着体は、使用者の一方の外耳道に装着されている第１耳栓の反挿入側端面に接触する第１接触部と、当該使用者の他方の外耳道に装着されている第２耳栓の反挿入側端面に接触する第２接触部と、を有する。
特徴１９：装着体は、第１接触部を振動させる第1骨伝導スピーカと、第２接触部を振動させる第２骨伝導スピーカと、を備えている。
特徴２４：装着体は、第1接触部と第1骨伝導スピーカとを有する第１耳掛体と、第２接触部と第２骨伝導スピーカとを有する第２耳掛体と、を有する。第１耳掛体は使用者の一方の耳に掛けて装着される。第２耳掛体は使用者の他方の耳に掛けて装着される。
特徴２５：第１耳掛体は、使用者の一方の耳介の根本部分に掛かる第１耳掛部と、第１耳掛部の前端部から使用者の一方の耳穴に延びる第１アーム部とを有する。第２耳掛体は、使用者の他方の耳介の根本部分に掛かる第２耳掛部と、第２耳掛部の前端部から使用者の他方の耳穴に延びる第２アーム部と、を有している。
特徴２６：第1接触部は第１アーム部の先端部に設けられている。第２接触部は第２アーム部の先端部に設けられている。
特徴３５：第１接触部及び第２接触部は、使用者の外耳道に挿入されている耳栓の反挿入側端面に接触する突起部を有する。
【請求項２７】
次の特徴を有するイヤホン。
特徴１５：使用者の頭部に着脱自在に装着される装着体を有している。
特徴３３：装着体は、使用者の一方の外耳道に装着されている第１耳栓の反挿入側端面に接触する第１接触部と、当該使用者の他方の外耳道に装着されている第２耳栓の反挿入側端面に接触する第２接触部と、を有する。
特徴１９：装着体は、第１接触部を振動させる第1骨伝導スピーカと、第２接触部を振動させる第２骨伝導スピーカと、を備えている。
特徴２８：装着体は、装着時に使用者の後頭部を跨ぐ円弧状又は略馬蹄形状のヘッドバンド部と、当該ヘッドバンド部の一端から使用者の一方の耳介の根本を跨ぐようにしてアーチ状に延びる第１耳掛部と、当該ヘッドバンド部の他端から使用者の他方の耳介の根本を跨ぐようにしてアーチ状に延びる第２耳掛部と、第１耳掛部から使用者の一方の耳穴に延びる第１アーム部と、第２耳掛部から使用者の他方の耳穴に延びる第２アーム部と、を有している。
特徴２６：第1接触部は第１アーム部の先端部に設けられている。第２接触部は第２アーム部の先端部に設けられている。
特徴２７：第１アーム部は、その第1接触部が使用者の一方の外耳道に装着されている第１耳栓の振動体に接触している第１の使用形態と、その第1接触部が使用者の一方の耳近傍の皮膚に接触している第２の使用形態のうちのどちらかの使用形態になるようにその姿勢又は形状を変化させることが可能である。第２アーム部は、その第２接触部が使用者の他方の外耳道に装着されている第２耳栓の振動体に接触している第１の使用形態と、その第２接触部が使用者の他方の耳近傍の皮膚に接触している第２の使用形態のうちのどちらかの使用形態になるように姿勢又は形状を変化させることが可能である。
【請求項２８】
次の特徴を有するイヤホン。
特徴１５：使用者の頭部に着脱自在に装着される装着体を有している。
特徴３３：装着体は、使用者の一方の外耳道に装着されている第１耳栓の反挿入側端面に接触する第１接触部と、当該使用者の他方の外耳道に装着されている第２耳栓の反挿入側端面に接触する第２接触部と、を有する。
特徴２４：前記装着体は、第1接触部と第1骨伝導スピーカとを有する第１耳掛体と、第２接触部と第２骨伝導スピーカとを有する第２耳掛体と、を有する。第１耳掛体は使用者の一方の耳に掛けて装着される。第２耳掛体は使用者の他方の耳に掛けて装着される。
特徴２５：第１耳掛体は、使用者の一方の耳介の根本部分に掛かる第１耳掛部と、第１耳掛部の前端部から使用者の一方の耳穴に延びる第１アーム部とを有する。第２耳掛体は、使用者の他方の耳介の根本部分に掛かる第２耳掛部と、第２耳掛部の前端部から使用者の他方の耳穴に延びる第２アーム部と、を有している。
特徴２６：第1接触部は第１アーム部の先端部に設けられている。第２接触部は第２アーム部の先端部に設けられている。
特徴２７：第１アーム部は、その第1接触部が使用者の一方の外耳道に装着されている第１耳栓の振動体に接触している第１の使用形態と、その第1接触部が使用者の一方の耳近傍の皮膚に接触している第２の使用形態のうちのどちらかの使用形態になるようにその姿勢又は形状を変化させることが可能である。第２アーム部は、その第２接触部が使用者の他方の外耳道に装着されている第２耳栓の振動体に接触している第１の使用形態と、その第２接触部が使用者の他方の耳近傍の皮膚に接触している第２の使用形態のうちのどちらかの使用形態になるように姿勢又は形状を変化させることが可能である。
【請求項２９】
次の特徴を更に有する請求項２７又は２８のイヤホン。
特徴２９：第１アーム部は、第１の使用形態と第２の使用形態のどちらの使用形態とも異なる第３の使用形態に姿勢を保つことが可能である。第２アーム部は、第１の使用形態と第２の使用形態のどちらの使用形態とも異なる第３の使用形態に姿勢を保つことが可能である。
【請求項３０】
次の特徴を更に有する請求項２７〜２９のいずれかのイヤホン。
特徴３０：第１アーム部は、第１耳掛部に回動可能に連結されている。第２アーム部は、第２耳掛部に回動可能に連結されている。
【請求項３１】
次の特徴を更に有する請求項２７〜２９のいずれかのイヤホン。
特徴３１：第１アーム部の外殻は、自由に変形させることができ且つ変更後の姿勢に自律保持可能な部材からなる。第２アーム部の外殻は、自由に変形させることができ且つ変更後の姿勢に自律保持可能な部材からなる。
【請求項３２】
次の特徴を更に有する請求項１８〜３１のいずれかのイヤホン。
特徴３２：前記装着体は、その内部が外部から隔絶された水密構造になっている。
【発明の詳細な説明】
【技術分野】
【０００１】
本発明は、耳栓と、耳栓と共に使用するのに適したイヤホンに関する。
【背景技術】
【０００２】
外耳道に耳栓を装着した状態でその耳栓に骨伝導スピーカ（振動発生源）を押し当てて音声を聴くタイプの音響装置が知られている。（特許文献１、特許文献２）
【０００３】
【特許文献１】実開平６−２６３２８号公報（トランシーバ）
【特許文献２】特開平５−２０７５７９号公報（イヤースピーカ）
【発明の開示】
【発明が解決しようとする課題】
【０００４】
上述した従来の音響装置は、耳栓の反挿入側端面と骨伝導スピーカの振動面とを互いに面接触させた状態で、骨伝導スピーカの振動を耳栓に伝達するように構成されている。このため、この種の従来の音響装置は、耳栓の反挿入側端面に対して骨伝導スピーカの振動面が傾いた姿勢になると、両面間の接触不良により振動の伝達効率が低下し、本来の音響性能を発揮し得なくなる。
また、発泡材からなる耳栓は、固体伝導による高音域の伝達性能が良くないため、低音域に関しては聴取に十分な音量が得られる反面、高音域の音量が不足しがちになる。このため、ミュージックプレーヤの再生音の聴き取りには適さない。
【０００５】
本発明が解決しようとする課題は、騒音に対する十分な遮音性能を有しつつ、固体伝導スピーカを接触させて使用する際に低音域から高音域にかけて良好な聴取性能を発揮し得る耳栓、当該耳栓に振動を与えて低音域から高音域にかけて良好な聴取性能を発揮する音響装置、及び、耳栓と共に使用するのに適したイヤホンを提供することにある。
【課題を解決するための手段】
【０００６】
本願発明の耳栓には、下記（１）〜（１２）の耳栓が含まれる。
（１）：下記の特徴１〜３を有する耳栓。
（２）：下記の特徴１〜４を有する耳栓。
（３）：下記の特徴１〜３、５を有する耳栓。
（４）：下記の特徴６を更に有する（１）〜（３）のいずれかの耳栓。
（５）：下記の特徴７を更に有する（１）〜（４）のいずれかの耳栓。
（６）：下記の特徴８を更に有する（１）〜（５）のいずれかの耳栓。
（７）：下記の特徴９を更に有する（６）の耳栓。
（８）：下記の特徴１０を更に有する（６）の耳栓。
（９）：下記の特徴１１を更に有する（１）〜（７）のいずれかの耳栓。
（１０）：下記の特徴１２を更に有する（１）〜（７）のいずれかの耳栓。
（１１）：下記の特徴１３を更に有する（１）〜（７）のいずれかの耳栓。
（１２）：下記の特徴１４を更に有する（１１）の耳栓。
【０００７】
本願発明の音響装置には、下記（１３）〜（２３）の音響装置が含まれる。
（１３）：下記の特徴１５〜１９を有する音響装置。
（１４）：下記の特徴２０を更に有する（１３）の音響装置。
（１５）：下記の特徴２１を更に有する（１４）の音響装置。
（１６）：下記の特徴２２を更に有する（１３）の音響装置。
（１７）：下記の特徴２３を更に有する（１６）の音響装置。
（１８）：下記の特徴２４〜２７を更に有する（１３）〜（１７）のいずれかの音響装置。
（１９）：下記の特徴２６〜２８を更に有する（１３）〜（１７）のいずれかの音響装置。
（２０）：下記の特徴２９を更に有する（１８）又は（１９）の音響装置。
（２１）：下記の特徴３０を更に有する（１８）〜（２０）のいずれかの音響装置。
（２２）：下記の特徴３１を更に有する（１８）〜（２０）のいずれかの音響装置。
（２３）：下記の特徴３２を更に有する（１８）〜（２２）のいずれかの音響装置。
【０００８】
本願発明のイヤホンには、下記（２４）〜（３２）のイヤホンが含まれる。
（２４）：下記の特徴（１５）、（１８）、（１９）、（３３）、（３４）を有するイヤホン。
（２５）：下記の特徴（１５）、（１８）、（１９）、（２６）、（２８）、（３４）を有するイヤホン。
（２６）：下記の特徴（１５）、（１８）、（１９）、（２４）、（２５）、（２６）、（３４）を有するイヤホン。
（２７）：下記の特徴（１５）、（１８）、（１９）、（２６）、（２７）、（２８）を有するイヤホン。
（２８）：下記の特徴（１５）、（１８）、（１９）、（２４）、（２５）、（２６）、（２７）を有するイヤホン。
（２９）：下記の特徴（２９）を更に有する２７又は２８のイヤホン。
（３０）：下記の特徴（３０）を更に有する２７〜２９のいずれかのイヤホン。
（３１）：下記の特徴（３１）を更に有する２７〜２９のいずれかのイヤホン。
（３２）：下記の特徴（３２）を更に有する１８〜３１のいずれかのイヤホン。
【０００９】
特徴１：外耳道に挿着される耳栓体と、当該耳栓体に同心状に挿入されて保持された振動体と、を有する。
特徴２：振動体の一方の端部は、当該耳栓体の内部に埋没している。振動体の他方の端部は、当該耳栓体の反挿入側端面（外耳道から露出する側の端面）から突出している。
特徴３：振動体は耳栓体よりも硬質の部材である。
特徴４：耳栓体は、その反挿入側端面から挿入側端面（外耳道に挿入される側の端面）の近傍に延びる穴を有している。振動体は、耳栓体の穴に挿入されている。
特徴５：耳栓体には、その両端面間を貫く貫通孔が形成されている。振動体は、貫通孔に挿入されている。
特徴６：振動体は、金属、プラスチック、硬質ゴム、又は木材からなる。
特徴７：耳栓体は、発泡材からなる。その発泡材は、形状復元性と柔軟性とを併せ持っている。
特徴８：振動体は、耳栓体内に一方の端部が挿入された棒状部を有し、当該棒状部の他方の端部が耳栓体の反挿入側端面から突出している。
特徴９：棒状部の他方の端部の先端部分は拡径している。
特徴１０：棒状部の他方の端部の先端部分は、半球状または球状に形成されている。
特徴１１：耳栓体の形状は、円柱形である。
特徴１２：耳栓体の形状は、挿入側端部が細くなった略円柱形である。
特徴１３：耳栓体は、外耳道の内壁に密着してこれを閉塞するフランジ部と、当該フランジ部の中心部から外耳道の外側に延在するハンドル部と、を有する。振動体は、耳栓のハンドル部に同心状に挿入されている。
特徴１４：前記フランジ部の形状は、傘状、円環状、又は螺旋状である。
特徴１５：使用者の頭部又は耳部に着脱自在に装着される装着体を有している。
特徴１６：使用者の一方の外耳道に装着される第１耳栓と、当該使用者の他方の外耳道に装着される第２耳栓と、を有する。
特徴１７：第１耳栓と第２耳栓は、請求項１〜１２のいずれかの耳栓である。
特徴１８：装着体は、使用者の一方の外耳道に装着されている第１耳栓の振動体に接触する第１接触部と、当該使用者の他方の外耳道に装着されている第２耳栓の振動体に接触する第２接触部と、を有する。
特徴１９：装着体は、第１接触部を振動させる第1骨伝導スピーカと、第２接触部を振動させる第２骨伝導スピーカと、を備えている。
特徴２０：第１接触部及び第２接触部の前記振動体との接触面は突面であり、当該接触面の突端が前記振動体と接触する。
特徴２１：前記接触面は、部分球面である。
特徴２２：第１接触部及び第２接触部の前記振動体との接触面は平面又は凹面であり、当該接触面の一部に前記振動体が接触する。
特徴２３：第１接触部及び第２接触部に、前記振動体と嵌合する凹部が形成されている。
特徴２４：前記装着体は、第1接触部と第1骨伝導スピーカとを有する第１耳掛体と、第２接触部と第２骨伝導スピーカとを有する第２耳掛体と、を有する。第１耳掛体は使用者の一方の耳に掛けて装着される。第２耳掛体は使用者の他方の耳に掛けて装着される。
特徴２５：第１耳掛体は、使用者の一方の耳介の根本部分に掛かる第１耳掛部と、第１耳掛部の前端部から使用者の一方の耳穴に延びる第１アーム部とを有する。第２耳掛体は、使用者の他方の耳介の根本部分に掛かる第２耳掛部と、第２耳掛部の前端部から使用者の他方の耳穴に延びる第２アーム部と、を有している。
特徴２６：第1接触部は第１アーム部の先端部に設けられている。第２接触部は第２アーム部の先端部に設けられている。
特徴２７：第１アーム部は、その第1接触部が使用者の一方の外耳道に装着されている第１耳栓の振動体に接触している第１の使用形態と、その第1接触部が使用者の一方の耳近傍の皮膚に接触している第２の使用形態のうちのどちらかの使用形態になるようにその姿勢又は形状を変化させることが可能である。第２アーム部は、その第２接触部が使用者の他方の外耳道に装着されている第２耳栓の振動体に接触している第１の使用形態と、その第２接触部が使用者の他方の耳近傍の皮膚に接触している第２の使用形態のうちのどちらかの使用形態になるように姿勢又は形状を変化させることが可能である。
特徴２８：前記装着体は、装着時に使用者の後頭部を跨ぐ円弧状又は略馬蹄形状のヘッドバンド部と、当該ヘッドバンド部の一端から使用者の一方の耳介の根本を跨ぐようにしてアーチ状に延びる第１耳掛部と、当該ヘッドバンド部の他端から使用者の他方の耳介の根本を跨ぐようにしてアーチ状に延びる第２耳掛部と、第１耳掛部から使用者の一方の耳穴に延びる第１アーム部と、第２耳掛部から使用者の他方の耳穴に延びる第２アーム部と、を有している。
特徴２９：第１アーム部は、第１の使用形態と第２の使用形態のどちらの使用形態とも異なる第３の使用形態に姿勢を保つことが可能である。
特徴３０：第１アーム部は、第１耳掛部に回動可能に連結されている。第２アーム部は、第２耳掛部に回動可能に連結されている。
特徴３１：第１アーム部の外殻は、自由に変形させることができ且つ変更後の姿勢に自律保持可能な部材からなる。第２アーム部の外殻は、自由に変形させることができ且つ変更後の姿勢に自律保持可能な部材からなる。
特徴３２：前記装着体は、その内部が外部から隔絶された水密構造になっている。
特徴３３：装着体は、使用者の一方の外耳道に装着されている第１耳栓の反挿入側端面に接触する第１接触部と、当該使用者の他方の外耳道に装着されている第２耳栓の反挿入側端面に接触する第２接触部と、を有する。
特徴３４：装着体は、装着時に使用者の頭部を跨ぐ円弧状又は略馬蹄形状の弾性体部を有する。装着体の装着時には、弾性体部の弾性力により、第１接触部と第２接触部とが互いに接近する向きに付勢される。
特徴３５：第１接触部及び第２接触部は、使用者の外耳道に挿入されている耳栓の反挿入側端面に接触する突起部を有する。
【発明の効果】
【００１０】
本発明の耳栓は、騒音に対する十分な遮音性能を有しつつ、骨伝導スピーカを接触させて使用する際に低音域から高音域にかけて良好な聴取性能を発揮し得る。
本発明の音響装置は、本発明の耳栓に振動を与えて低音域から高音域にかけて良好な聴取性能を発揮する。
本発明のイヤホンは、耳栓（本発明の耳栓以外の耳栓も含む）と共に使用するのに適している。
【発明を実施するための最良の形態】
【００１１】
以下、本発明の実施形態について説明する。
【００１２】
［構成］
図１は耳栓の形態例を示す断面図である。
図１に示す耳栓２１は下記の特徴１、２、３、５、６、７、８、９、１０、及び１１を有している。
特徴１：外耳道に挿着される耳栓体２２と、当該耳栓体２２に同心状に挿入されて保持された振動体２３と、を有する。
特徴２：振動体２３の一方の端部２３ａは、当該耳栓体２２の内部に埋没している。振動体２３の他方の端部２３ｂは、当該耳栓体２２の反挿入側端面２２ｂから突出している。
特徴３：振動体２３は耳栓体２２よりも硬質の部材である。
特徴５：耳栓体２２には、その両端面間を貫く貫通孔２２ｃが形成されている。振動体２３は、貫通孔に挿入されている。
特徴６：振動体２３は、金属、プラスチック、硬質ゴム、又は木材からなる。
特徴７：耳栓体２２は、発泡材からなる。その発泡材は、形状復元性と柔軟性とを併せ持っている。
特徴８：振動体２３は、耳栓体２２内に一方の端部２３ａが挿入された棒状部２３ｃを有し、当該棒状部２３ｃの他方の端部２３ｂが耳栓体２２の反挿入側端面２２ｂから突出している。
特徴９：棒状部２３ｃの他方の端部２３ｂの先端部分は拡径している。
特徴１０：棒状部２３ｃの他方の端部２３ｂの先端部分は、半球状に形成されている。
特徴１１：耳栓体２２の形状は、円柱形である。
【００１３】
図２、図３はイヤホンの形態例を示している。図２は使用状態を示す側面図である。図３はイヤホンの正面図である。
イヤホン１は、下記の特徴１５、１８、１９、２６、２７、２８、２９、３０、及び３２を有している。
特徴１５：使用者の頭部に着脱自在に装着される装着体１１を有している。
特徴１８：装着体１１は、使用者の一方（右耳）の外耳道に装着されている第１耳栓２１Ｒの振動体２３に接触する第１接触部２４Ｒと、当該使用者の他方（左耳）の外耳道に装着されている第２耳栓２１Ｌの振動体２３に接触する第２接触部２４Ｌと、を有する。
特徴１９：装着体２３は、第１接触部２４Ｒを振動させる第1骨伝導スピーカ２５Ｒと、第２接触部２４Ｌを振動させる第２骨伝導スピーカ２５Ｌと、を備えている。
特徴２８：装着体２３は、装着時に使用者の後頭部を跨ぐ円弧状又は略馬蹄形状のヘッドバンド部１１Ａと、当該ヘッドバンド部１１Ａの一端から使用者の一方の耳介の根本を跨ぐようにしてアーチ状に延びる第１耳掛部１１Ｂ（Ｒ）と、当該ヘッドバンド部１１Ａの他端から使用者の他方の耳介の根本を跨ぐようにしてアーチ状に延びる第２耳掛部１１Ｂ（Ｌ）と、第１耳掛部１１Ｂ（Ｒ）から使用者の一方の耳穴に延びる第１アーム部１１Ｃ（Ｒ）と、第２耳掛部１１Ｂ（Ｌ）から使用者の他方の耳穴に延びる第２アーム部１１Ｃ（Ｌ）と、を有している。
特徴２６：第1接触部２４Ｒは第１アーム部１１Ｃ（Ｒ）の先端部に設けられている。第２接触部２４Ｌは第２アーム部１１Ｃ（Ｌ）の先端部に設けられている。
特徴２７：第１アーム部１１Ｃ（Ｒ）は、その第1接触部２４Ｒが使用者の一方の外耳道に装着されている第１耳栓２１Ｒの振動体２３に接触している第１の使用形態（図２の形態）と、その第1接触部２４Ｒが使用者の一方の耳近傍の皮膚（頬骨辺りの皮膚、米神辺りの皮膚、耳介の根本の後頭部側近傍の皮膚、耳介の根本の頭頂部側近傍の皮膚）に接触している第２の使用形態のうちのどちらかの使用形態になるようにその姿勢又は形状を変化させることが可能である。第２アーム部１１Ｃ（Ｌ）は、その第２接触部２４Ｌが使用者の他方の外耳道に装着されている第２耳栓２１の振動体２３に接触している第１の使用形態（図２の形態）と、その第２接触部２４Ｒが使用者の他方の耳近傍の皮膚に接触している第２の使用形態のうちのどちらかの使用形態になるように姿勢又は形状を変化させることが可能である。
特徴２９：第１アーム部１１Ｃ（Ｒ）、は、第１の使用形態と第２の使用形態のどちらの使用形態とも異なる第３の使用形態に姿勢を保つことが可能である。第２アーム部１１Ｃ（Ｌ）、は、第１の使用形態と第２の使用形態のどちらの使用形態とも異なる第３の使用形態に姿勢を保つことが可能である。
特徴３０：第１アーム部１１Ｃ（Ｒ）は、第１耳掛部１１Ｂ（Ｒ）に回動可能に連結されている。第２アーム部１１Ｃ（Ｌ）は、第２耳掛部１１Ｂ（Ｌ）に回動可能に連結されている。
特徴３２：前記装着体は、その内部が外部から隔絶された水密構造になっている。
【００１４】
［構成の補足説明］
両アーム部１１Ｃ（Ｒ）、１１Ｃ（Ｌ）の先端部は互いに内向きにＬ字形に屈曲している。そして、右側のアーム部１１Ｃ（Ｒ）の当該屈曲した部分の先端部に第１接触部２４Ｒが、左側のアーム部１１Ｃ（Ｌ）の当該屈曲した部分の先端部に第２接触部２４Ｌが、それぞれ設けられている。第１接触部２４Ｒ、第２接触部２４Ｌの先端面が振動体２３との接触面２４ａになっている。装着体１１は、プラスチック成型品である。
【００１５】
第1骨伝導スピーカ２５Ｒ及び第２骨伝導スピーカ２５Ｌは、第1骨伝導スピーカ２５Ｒ及び第２骨伝導スピーカ２５Ｌは、図示しない外部機器から送信されてきた音声信号（電気信号）を音響振動に変換する。外部機器からの出力信号がステレオ音声信号の場合、第1骨伝導スピーカ２５Ｒと第２骨伝導スピーカ２５Ｌには、各々異なる音声信号（電気信号）が入力される。そして、第１接触部２４Ｒと第２接触部２４Ｌの接触面２４ａが、各々異なった音響振動を発生する。
【００１６】
耳栓体２２は、円柱状に形成された発泡ポリウレタン製の部材である。振動体２３の耳栓体２２の端面２２ｂからの突出長は２ｍｍ〜５ｍｍである。
【００１７】
第１耳栓２１Ｒと第２耳栓２１Ｌは、耳栓体２２を指で摘んで細く潰した状態で、挿入側端面２２ａ側から外耳道内に挿入することにより、外耳道に装着される。耳栓体２２がその自己復元性により元の状態（自由状態）に戻ろうとする過程で、耳栓体２２の外周面が外耳道の内面に全周に亘って密着する。第１耳栓２１Ｒ及び第２耳栓２１Ｌを装着することにより、装着者の外耳道内を外部からの騒音を遮断した静かな環境に保つことができる。
【００１８】
［作用］
このイヤホン１は、第１耳栓２１Ｒを使用者の一方（右）の外耳道に、第２耳栓２１Ｌをその使用者のもう一方（左）の外耳道に、それぞれ装着した状態で、第１接触部２４Ｒの接触面２４ａを第１耳栓２１Ｒの振動体２３の突端に、第２接触部２４Ｌの接触面２４ａを第２耳栓２１Ｌの振動体２３に、それぞれ当接させて使用する。耳栓２１Ｒ、２１Ｌの振動体２３と装着体１１の接触部２４Ｒ、２４Ｌとが互いに非接触状態のときには、その耳栓２１Ｒ、２１Ｌには全く振動が発生せず、接触部２４Ｒ、２４Ｌが振動するのみである。
【００１９】
音響振動発生源２５Ｒ、２５Ｌは、入力された音声信号（電気信号）を音響振動に変換する。すなわち、音響振動発生源２５Ｒ、２５Ｌは、入力された音声信号（電気信号）に応じて左右の接触部２４Ｒ、２４Ｌの接触面２４ａを各々振動させる。右耳側の接触部２４Ｒの接触面２４ａが振動することにより、右側の外耳道に装着された耳栓２１Ｒの振動体２３に振動が伝達され、左耳側の接触部２４Ｌの接触面２４ａが振動することにより、左側の外耳道に装着された耳栓２１Ｌの振動体２３に振動が伝達される。各振動体２３の振動は、各耳栓２１Ｒ、２１Ｌの耳栓体２２に伝達される。耳栓体２２が振動することにより、耳栓体２２の挿入側端面２２ａから外耳道内に音（空気を媒体とする音）が放出され、音声となって鼓膜に伝達される。また、耳栓体２２の振動は、外耳道の皮膚等を媒体として鼓膜などの聴覚器官に伝達される。空気を媒体とする音と皮膚等を媒体とする音の割合（音量比）は、耳栓体２２及び振動体２３の材質、寸法などを適宜選定することにより、調整可能である。
【００２０】
骨伝導スピーカ２５Ｒ、２５Ｌの振動出力部となる接触面２４ａと耳栓体２２よりも硬質の部材である振動体２３とを互いに当接させることによって接触面２４ａの振動を耳栓２１に伝達するので、両者間の振動伝達効率は、軟質材のみからなる従来の耳栓と骨伝導スピーカ間における振動の伝達効率と比較して格段と高くなる。接触面２４ａは振動体２３に強く圧接している必要はなく、接触していればよい。両者間の接触圧は、装着体１１のアーム部１１Ｃ（Ｒ）、１１Ｃ（Ｌ）の剛性（弾性）を適宜選定することにより、調整可能である。
【００２１】
［効果］
この音響装置は、左右の外耳道に耳栓２１Ｒ、２１Ｌを装着した状態で、耳栓体２２の反挿入側端面２２ｂから突出した振動体２３の突端部に装着体１１の左右の接触部２４Ｒ、２４Ｌの接触面２４ａの一部を当接させた状態で使用するように構成されているので、耳栓体２２の反挿入側端面２２ｂに対して接触部２４Ｒ、２４Ｌの接触面２４ａが傾いた姿勢になっても、従来のような接触不良（面接触不良）の状態にはならず、接触部２４Ｒ、２４Ｌの振動が高効率に耳栓２１Ｒ、２１Ｌに伝達される。したがって、常に良好な聴取性能を発揮し得る。
【００２２】
耳栓２１は、外耳道の内壁に密着する耳栓体２２と、耳栓体２２に挿入された耳栓体２２よりも硬質の振動体２３とを有しているので、騒音に対する十分な遮音性能を有しつつ、低音域から高音域にかけて良好な聴取性能を発揮する。
【００２３】
また、この音響装置によれば、耳栓２１Ｒ、２１Ｌにより使用者の外耳道内を外部からの騒音を遮断した静かな環境に保った状態で、耳栓２１Ｒ、２１Ｌの振動体２３に振動を与えて音声を聴取することができる。したがって、高騒音下においても極めて高い聴取性能を発揮し得る。
【００２４】
また、イヤホン１の非装着時、すなわち、耳栓２１Ｒ、２１Ｌの振動体２３とイヤホン１の接触部２４Ｒ、２４Ｌとが互いに非接触状態のときには、耳栓２１Ｒ、２１Ｌには全く振動が発生せず、接触部２４Ｒ、２４Ｌの接触面２４ａが振動するのみである。使用中に装着体１１が外れた状態でも、周囲の人に不快感を与えるほどの大音量の音は発生しない。したがって、旅客機や旅客列車等、公共の乗り物内での使用に適している。
【００２５】
［その他］
なお、上記の例では、接触面２４ａが平坦面の場合について説明したが、接触面２４ａを中心部が最も凹んだ形状の凹球面にしておけば、接触面２４ａの中心部に振動体２３が接触した状態にし易くできるので、振動伝達の安定性をより高め、常により良好な聴取性能が得られる。
【００２６】
また、上記の例では、アーム部１１Ｃ（Ｒ）、１１Ｃ（Ｌ）が耳掛部１１Ｂ（Ｒ）、１１Ｂ（Ｌ）に回動可能に連結されているが、アーム部１１Ｃ（Ｒ）、１１Ｃ（Ｌ）の外殻を、自由に変形させることができ且つ変更後の姿勢に自律保持可能な部材で構成することにより、アーム部１１Ｃ（Ｒ）、１１Ｃ（Ｌ）の姿勢又は形状を可変にしてもよい。
【００２７】
また、上記の例では、円柱形の耳栓体２２を備えた耳栓２１Ｒ、２１Ｌについて説明したが、耳栓体２２の形状は弾丸形（挿入側端部が細くなった略円柱形）でもよい。
【００２８】
また、イヤホン１の形態は、図２、図３の形態に限定されない。
【００２９】
図４（ａ）〜（ｅ）は耳栓のその他の形態例を示している。振動体２３には、同心状に穴（空洞）３０が形成されている。（ａ）及び（ｂ）の例では、穴３０が振動体３の挿入側端面（一方の端部）２３ａに開口している。（ｃ）〜（ｅ）の例では、穴３０が振動体３の反挿入側端面（他方の端部）２３ｂに開口している。
【産業上の利用可能性】
【００３０】
本発明の音響装置は、補聴器に利用できる。すなわち、本発明の音響装置の装着体に、マイクロホン、当該マイクロホンの出力信号に応じて骨伝導スピーカを駆動する駆動回路（増幅回路、フィルタ回路などを含む）、電池、ボリュームコントローラ（出力音量調節器）、などを付加することにより、小型・軽量で、装着感が極めて良好であり、高騒音下においても極めて高い聴取性能を発揮する補聴器を実現できる。
【図面の簡単な説明】
【００３１】
【図１】耳栓の形態例を示す断面図
【図２】音響装置の形態例（使用状態）を示す側面図
【図３】イヤホンの形態例を示す正面図
【図４】（ａ）〜（ｅ）は耳栓のその他の形態例を示す断面図
【符号の説明】
【００３２】
１１  装着体
１１Ａ  ヘッドバンド部
１１Ｂ（Ｒ）  第１耳掛部
１１Ｂ（Ｌ）  第２耳掛部
１１Ｃ（Ｒ）  第１アーム部
１１Ｃ（Ｌ）  第２アーム部
２１  耳栓
２１Ｒ  第１耳栓
２１Ｌ  第２耳栓
２２  耳栓体
１５  無線通信部
２３  振動体
２３ａ  一方の端部
２３ｂ  他方の端部
２２ｂ  反挿入側端面
２２ｃ  貫通孔
２３ｃ  棒状部
２４Ｒ  第１接触部
２４Ｌ  第２接触部
２５Ｒ  第1骨伝導スピーカ
２５Ｌ  第２骨伝導スピーカ
【図１】
2009253488.tif 000003
【図２】
2009253488.tif 000004
【図３】
2009253488.tif 000005
【図４】
2009253488.tif 000006